(57)【要約】【課題】この発明に係るエレベータは、洗浄に供された洗浄水を迅速にかごの外部に排出し、また濡れた床面を迅速に乾燥させ、洗浄後短時間で乗客に不快感を与えることなく運転を再開することができる。【解決手段】この発明に係るエレベータは、昇降路１内を昇降するかご２と、かご２の床面１３に向かって空気を吹き出し床面上の洗浄水をかごの外部に排出、乾燥させる空気吹き出し手段とを備え、  前記空気吹き出し手段は、かご２の外側に設けられたブロワ１０と、かご２の側壁の下部に形成された噴出・吹き出し口１２にブロワ１０からの空気を導くブロワ配管１１とを備えている。【選択図】図１
2009249054.tif 000002
【特許請求の範囲】
【請求項１】
昇降路内を昇降するかごと、
前記かごの床面に向かって空気を吹き出し床面上の洗浄水をかごの外部に排出、乾燥させる空気吹き出し手段とを備え、
前記空気吹き出し手段は、前記かごの外側に設けられたブロワと、前記かごの側壁の下部に形成された吹き出し口に前記ブロワからの空気を導くブロワ配管とを備えていることを特徴とするエレベータ。
【請求項２】
前記かごには、前記洗浄水を前記床面に向かって噴出する洗浄水床面噴出手段が設けられており、
前記洗浄水床面噴出手段は、前記かごの外側に設けられた加圧ポンプと、前記かごの側壁の下部に形成された噴出口に前記加圧ポンプにより加圧された前記洗浄水を導く洗浄水配管とを備えたことを特徴とする請求項１に記載のエレベータ。
【請求項３】
前記洗浄水を前記かごの側壁面に向かって噴射する洗浄水側壁面噴出手段を有しており、
前記洗浄水側壁面噴出手段は、前記かごの天井に取り付けられたシャワーヘッドと、前記かごの外側に設けられた加圧ポンプと、前記シャワーヘッドに前記加圧ポンプにより加圧された前記洗浄水を導く洗浄水配管とを備えたことを特徴とする請求項１に記載のエレベータ。
【請求項４】
前記かごの前記床面には、前記洗浄水をかごの外部に排出する排水口が形成されており、
この排水口の下方の前記昇降路のピットには、排水口を通じて排出された前記洗浄水を留める貯水部が形成されていることを特徴とする請求項１〜３の何れか１項に記載のエレベータ。
【請求項５】
前記噴出口及び前記吹き出し口は、共用した噴出・吹き出し口であり、
前記ブロワ配管の先端部には、前記噴出・吹き出し口に対面した共用配管が設けられており、
また前記洗浄水配管の先端部は、前記ブロワ配管に接続されており、
前記共用配管に形成された穴を通じて、前記洗浄水が噴出し、また前記空気が吹き出されることを特徴とする請求項２〜４の何れか１項に記載のエレベータ。
【請求項６】
前記かご内の操作盤は、防水機構を備えていることを特徴とする請求項１〜５の何れか１項に記載のエレベータ。
【発明の詳細な説明】
【技術分野】
【０００１】
この発明は、かごの床面が洗浄可能なエレベータに関するものである。
【背景技術】
【０００２】
かごが昇降路内を昇降するエレベータにおいては、痰、唾を吐いたり、放水したりする等のマナーの悪い乗客がおり、他の乗客に多大な迷惑をかけることがある。
このようなかごの床面を洗浄するエレベータとして、かご床の床面が水洗い可能に構成されるとともに床面の周囲の縁部に排水路が形成されたかごと、前記かご床の排水路に連通するように前記かご床に設けられた排水孔と、前記かご床の下部に設けられ、前記排水孔を介して前記排水路に連通する排水タンクとを備えたものが知られている（例えば、特許文献１参照）。
【０００３】
【特許文献１】特開２００５−４１６１９号公報
【発明の開示】
【発明が解決しようとする課題】
【０００４】
このエレベータの場合、床面に流された洗浄水を積極的にかごの外部に排出する手段は講じてなく、また濡れた床面が乾燥し、乗客が不快感を覚えることなく使用できるようになるまでに時間を要してしまうという問題点があった。
【０００５】
この発明は、上記のような問題点を解決することを課題とするものであって、洗浄に供された洗浄水を迅速にかごの外部に排出し、また濡れた床面を迅速に乾燥させ、洗浄後短時間で乗客に不快感を与えることなく運転を再開することができるエレベータを得ることを目的とする。
【課題を解決するための手段】
【０００６】
この発明に係るエレベータは、昇降路内を昇降するとともに洗浄水による水洗い可能な床面を有するかごと、前記床面に沿って空気を吹きつけ床面上の洗浄水をかごの外部に排出、乾燥させる風吹きつけ手段とを備えたものである。
【発明の効果】
【０００７】
この発明によるエレベータによれば、床面に沿って空気を吹きつけ床面上の洗浄水をかごの外部に排出、乾燥させる風吹きつけ手段を備えたので、洗浄に供された洗浄水を迅速にかごの外部に排出し、また濡れた床面を迅速に乾燥させ、洗浄後短時間で運転再開することができるという効果がある。
【発明を実施するための最良の形態】
【０００８】
以下、この発明の各実施の形態のエレベータについて、図に基づいて説明するが、各図において、同一または相当部材、部位については同一符号を付して説明する。
実施の形態１．
図１はこの発明の実施の形態１のエレベータを示す概略縦断面図である。
このエレベータでは、昇降路１内を昇降するかご２の乗場２６側には、かご側扉３及び乗場側扉４が設けられている。かご２の背面には、貯水タンク５が取り付けられている。この貯水タンク５には、弁７が取り付けられた給水管６を通じて洗浄水が供給される。貯水タンク５の底面からは洗浄水配管８が導出している。この洗浄水配管８には、加圧ポンプ９、弁２７が取り付けられている。
ここで、加圧ポンプ９、洗浄水配管８及び弁２７により洗浄水床面噴出手段を構成している。
【０００９】
また、かご２の天井には、洗浄水をかご２の側壁面に向かって噴射するシャワーヘッド２３が取り付けられている。このシャワーヘッド２３は、一端部が貯水タンク５と接続された洗浄水配管２１の他端部と接続されている。洗浄水配管２１には、貯水タンク５内の洗浄水を加圧してシャワーヘッド２３に送る加圧ポンプ２２が取り付けられている。
ここで、シャワーヘッド２３、洗浄水配管２１及び加圧ポンプ２２により、洗浄水側壁面噴出手段を構成している。
【００１０】
かご２の上面には、ブロア１０が取り付けられている。このブロア１０からはブロア配管１１がかご２の背面に沿って導出している。ブロア配管１１の先端部には、図２に示すように、共用配管１９が取り付けられている。この共用配管１９には、等間隔で複数の穴２０が形成されている。ブロア配管１１の共用配管１９の近傍には弁２８が取り付けられている。ブロア配管１１の弁２８と共用配管１９との間では、洗浄水配管８の先端部が接続されている。
共用配管１９は、かご２の側壁の下部に、床面１３と平行に延びて形成された噴出・吹き出し口１２に対面している。
ここで、ブロワ１０、ブロワ配管１１及び弁２８により空気吹き出し手段を構成している。
【００１１】
かご２の床面１３は、表面が水洗い可能なように、ビニールやゴム等の耐水性の軟質材によりコーティングされている。床面１３は、洗浄水がかご側扉３側に流下するように僅かに傾斜している。
また、かご２の側壁面に設けられた操作盤（図示せず）には、隙間にパッキンを詰める防水機構を備えている。なお、防水機構として、操作盤の前面全体を透明で耐水性の樹脂で覆ってもよい。
【００１２】
床面１３のかご側扉３側には、洗浄水を排出する排水口１４が形成されている。この排水口１４の直下には、ピット１５に形成され洗浄水を貯留する貯水部１６が設けられている。貯水部１６の底面からは、排水ポンプ１８が取り付けられた排水管１７が導出している。
なお、排水ポンプ１８を用いずに、排水管１７に傾斜をつけ、貯水部１６内の洗浄水をピット１５の外部に流下させるようにしてもよい。
【００１３】
上記のように構成されたエレベータにおいては、定期的に、または床面１３の汚れを除くために洗浄をする場合には、次の手順で行う。
先ず、かご２を最下階に停止する。
その後、通常は昇降路１の壁面に倒伏している給水管６を起立させ、貯水タンク５内に弁７を開放して洗浄水を供給し、貯水タンク５内に所定量の洗浄水を貯留する。
【００１４】
その次に、加圧ポンプ９を駆動させて、洗浄水を洗浄水配管８を通じて共用配管１９の穴２０から床面１３に向けて一定時間噴出させる。なお、このときには、弁２７は開、弁２８は閉である。
また、同時に加圧ポンプ２２を駆動させて、洗浄水を洗浄水配管２１を通じてシャワーヘッド２３からかご２の側壁面に向けて一定時間噴出させる。
床面１３に向けて噴出した洗浄水及び側壁面に向けて噴出した洗浄水は、床面１３に沿って流下し、排水口１４から滴下して貯水部１６に貯留される。
その後、弁２７を閉じ、弁２８を開放した後、ブロワ１０を駆動させ、空気をブロア配管１１を通じて共用配管１９の穴２０から床面１３に向けて一定時間噴出させ、濡れた床面１３を乾燥させる。
このようにして床面１３が乗客に不快感を与える状態から解消されたことを確認した後、エレベータの運転が再開される。
なお、貯水部１６に貯留された洗浄水は、排水ポンプ１８を駆動することで、外部に適宜排出される。
また、かご２の側壁面について洗浄が不要のときには、加圧ポンプ２２の駆動は停止のままとし、シャワーヘッド２３からの洗浄水の噴出は行わない。
【００１５】
なお、上記の実施の形態では、洗浄水が噴出する噴出口及び空気が吹き出される吹き出し口が共用した噴出・吹き出し口１２であったが、かご２の側壁の下部にそれぞれ別個に噴出口及び吹き出し口を形成するようにしてもよい。
また、噴出・吹き出し口１２及び排水口１４については、洗浄運転が行われない、通常運転時には、蓋でそれぞれの口を塞ぐようにしてもよい。
また、貯水タンク５は、必ずしもかご２に取り付ける必要性はなく、昇降路１の外部に設置するようにしてもよい。この場合、給水管６、弁７及び加圧ポンプ９も昇降路１の外部に設けられる。
また、シャワーヘッド２３に加圧洗浄水を送る加圧ポンプ２２についても、昇降路１の外部に設置するようにしてもよい。
また、ブロワ１０についても、昇降路１の外部に設置するようにしてもよい。
【００１６】
以上説明したように、この実施の形態のエレベータによれば、ブロワ１０を駆動することで、噴出・吹き出し口１２からは加圧された空気が床面１３に向かって吹き出されるので、洗浄に供された床面１３上の洗浄水は迅速に除かれ、また濡れた床面１３は迅速に乾燥し、洗浄後短時間で乗客に不快感を与えることなく運転を再開することができる。
【００１７】
また、床面１３上の汚れは、加圧ポンプ９を駆動させることで、加圧された洗浄水は床面１３に向かって噴出されるので、床面１３上の汚れは迅速に除かれる。
【００１８】
また、かご２の側壁面上の汚れを除きたいときには、加圧された洗浄水を側壁面に向かって噴出することで、側壁面上の汚れは迅速に除かれる。
【００１９】
また、かごの床面１３には、洗浄水をかご２の外部に排出する排水口１４が形成されており、この排水口１４の下方の昇降路１のピット１５には、排水口１４を通じて排出された洗浄水を留める貯水部１６が形成されているので、洗浄後の洗浄水で昇降路１の底面が汚れるようなことはない。
【００２０】
また、噴出・吹き出し口１２は噴出口及び吹き出し口を共用しているので、かご２の側壁面の穴加工は簡単でよい。
また、噴出・吹き出し口１２に対面して、洗浄水が噴出し、また空気が吹き出される共用配管１９が設けられているので、構成が簡単である。
【００２１】
また、かご２内の操作盤は、防水機構を備えているので、操作盤が洗浄水により破損するようなことはない。
【図面の簡単な説明】
【００２２】
【図１】この発明の実施の形態１のエレベータを示す概略縦断面図である。
【図２】図１の共用配管１９、ブロワ配管１１及び洗浄水配管８を関係を示す図である。
【符号の説明】
【００２３】
１  昇降路、２  かご、５  貯水タンク、８，２１  洗浄水配管、９，２２  加圧ポンプ、１０  ブロワ、１１  ブロワ配管、１２  噴出・吹き出し口、１３  床面、１４  排水口、１５  ピット、１６  貯水部、１９  共用配管、２３  シャワーヘッド。
【図１】
2009249054.tif 000003
【図２】
2009249054.tif 000004